(57)【特許請求の範囲】
【請求項１】
循環水が循環する循環水系に供給された補給水の水量を検出し、検出水量値として出力する流量検出手段と、
前記循環水系に薬剤を供給する薬剤供給処理を実行可能な薬剤供給手段と、
前記流量検出手段から出力された検出水量値に比例した投入量の薬剤が前記循環水系に供給されるように、前記薬剤供給手段において前記薬剤供給処理を実行させる薬剤供給制御部と、
前記薬剤供給処理において前記薬剤供給手段から前記循環水系に供給されなかった薬剤の投入量分を記憶する記憶部と、を備え、
前記薬剤供給制御部は、（ｉ）補給水を前記循環水系に供給しながら、当該循環水系を流通する循環水の一部を外部に排出するブローダウン処理の実行期間中であれば、前記薬剤供給処理の実行を待機させ、前記ブローダウン処理の終了後に、当該ブローダウン処理の実行期間中に検出された検出水量値に比例した投入量の薬剤が前記循環水系に供給されるように、前記薬剤供給手段において前記薬剤供給処理を実行させ、（ｉｉ）当該薬剤供給処理の実行中に、次のブローダウン処理が実行された場合には、前記薬剤供給処理の実行を中断させ、当該薬剤供給処理において前記循環水系に供給されなかった薬剤の投入量分を前記記憶部に記憶させると共に、前記次のブローダウン処理の終了後に、前記記憶部に記憶させた薬剤の投入量分と、前記次のブローダウン処理の実行期間中に検出された検出水量値に比例した薬剤の投入量とを合計した量の薬剤が前記循環水系に供給されるように、前記薬剤供給手段において前記薬剤供給処理を実行させる、
薬剤供給装置。
【請求項２】
前記薬剤供給制御部は、薬剤の投入量を式（１）に基づいて算出する、
請求項１に記載の薬剤供給装置。
Ｗ＝Ｖ×Ｃ÷Ｎ÷Ｄ            （１）
Ｗ：薬剤の投入量
Ｖ：補給水の検出水量値
Ｃ：循環水中の薬剤の維持濃度
Ｎ：循環水の濃縮倍率
Ｄ：薬剤の密度
【請求項３】
前記循環水系は、
供給された補給水を含む循環水を冷却し、冷却した循環水を被冷却装置へ供給する冷却塔に接続されると共に、
循環水の電気伝導率を検出し、第１検出電気伝導率値として出力する第１電気伝導率検出手段と、
補給水の電気伝導率を検出し、第２検出電気伝導率値として出力する第２電気伝導率検出手段と、を備えており、
前記薬剤供給制御部は、前記第１電気伝導率検出手段から出力された第１検出電気伝導率及び前記第２電気伝導率検出手段から出力された第２検出電気伝導率を取得して、循環水の前記濃縮倍率を式（２）に基づいて算出する、
請求項２に記載の薬剤供給装置。
Ｎ＝Ｅ１÷Ｅ２            （２）
Ｅ１：第１検出電気伝導率値
Ｅ２：第２検出電気伝導率値
【請求項４】
前記薬剤供給制御部は、前記循環水系を循環水が循環し、且つ補給水が当該循環水系へ供給されない期間が予め設定された許容期間を超過した場合には、前記薬剤供給手段に、補給水の水量と関係なく、予め設定された投入量の前記薬剤供給処理を実行させる、
請求項１〜３のいずれか一項に記載の薬剤供給装置。
【請求項５】
前記薬剤供給手段は、前記薬剤供給処理において、前記循環水系に供給される薬剤として殺菌剤を供給する、
請求項４に記載の薬剤供給装置。
【発明の詳細な説明】
【技術分野】
【０００１】
本発明は、産業用設備に設けられた循環水系に薬剤を供給する薬剤供給装置に関する。
【背景技術】
【０００２】
従来、商業ビル、工業プラント等には、循環水系を有する各種の産業用設備が設置されている。例えば、循環水系を有する産業用設備として冷却塔が知られている。この冷却塔には、空調機や冷凍機に組み込まれた熱交換器等の被冷却装置が接続されている。循環水系には、これら装置を冷却するための冷却水が循環する。冷却水は、冷却塔で冷却されながら、循環水系を循環する（以下、循環する冷却水を「循環水」ともいう）。すなわち、循環水は、循環水系を介して冷却塔と被冷却装置との間を循環する。【０００３】
循環水が冷却塔で冷却される際に、循環水の一部は蒸発する。そのため、循環水を継続的に循環させると、循環水の濃縮度が徐々に高くなり、水質が悪化する。そこで、循環水の水質を改善するために、ブローダウン処理が実行される。ブローダウン処理は、外部から定期的に新鮮な補給水を供給すると共に、濃縮度の高い循環水の一部を外部に排出して循環水を希釈する処理である。また、ブローダウン処理が実行された際には、循環水又は補給水に、スケール防止剤や防食剤等の薬剤を供給する処理（以下、「薬注処理」ともいう）も実行される。【０００４】
従来、循環水又は補給水に供給する薬剤の無駄を少なくする技術が提案されている。例えば、ブローダウン処理中には薬注処理を実行せず、ブローダウン処理の終了後に、ブローダウン処理の実行時間に比例した薬剤の投入量で薬注処理する薬注制御装置が提案されている（特許文献１，２参照）。
【先行技術文献】
【特許文献】
【０００５】
【特許文献１】特開平１１−６３７４６号公報
【特許文献２】特開２０１１−２４７４４７号公報
【発明の概要】
【発明が解決しようとする課題】
【０００６】
上述した従来の薬注制御装置では、ブローダウン処理の実行中、薬注処理は実行されない。薬注処理は、ブローダウン処理の終了後に実行される。その薬注処理を実行している間に、次のブローダウン処理が実行されることがある。その場合、従来の薬注制御装置では、薬注処理が引き続き実行されるため、次のブローダウン処理の実行中に供給された薬剤が、直ちに循環水の一部と共に系外に排出される場合がある。そのため、従来の薬注制御装置では、薬剤の無駄が発生する可能性があった。【０００７】
従って、本発明は、停止させた薬注処理の実行中に開始されるブローダウン処理により、薬剤が無駄に消費されるのを抑制できる薬剤供給装置を提供することを目的とする。
【課題を解決するための手段】
【０００８】
本発明は、循環水が循環する循環水系に供給された補給水の水量を検出し、検出水量値として出力する流量検出手段と、前記循環水系に薬剤を供給する薬剤供給処理を実行可能な薬剤供給手段と、前記流量検出手段から出力された検出水量値に比例した投入量の薬剤が前記循環水系に供給されるように、前記薬剤供給手段において前記薬剤供給処理を実行させる薬剤供給制御部と、前記薬剤供給処理において前記薬剤供給手段から前記循環水系に供給されなかった薬剤の投入量分を記憶する記憶部と、を備え、前記薬剤供給制御部は、（ｉ）補給水を前記循環水系に供給しながら、当該循環水系を流通する循環水の一部を外部に排出するブローダウン処理の実行期間中であれば、前記薬剤供給処理の実行を待機させ、前記ブローダウン処理の終了後に、当該ブローダウン処理の実行期間中に検出された検出水量値に比例した投入量の薬剤が前記循環水系に供給されるように、前記薬剤供給手段において前記薬剤供給処理を実行させ、（ｉｉ）当該薬剤供給処理の実行中に、次のブローダウン処理が実行された場合には、前記薬剤供給処理の実行を中断させ、当該薬剤供給処理において前記循環水系に供給されなかった薬剤の投入量分を前記記憶部に記憶させると共に、前記次のブローダウン処理の終了後に、前記記憶部に記憶させた薬剤の投入量分と、前記次のブローダウン処理の実行期間中に検出された検出水量値に比例した薬剤の投入量とを合計した量の薬剤が前記循環水系に供給されるように、前記薬剤供給手段において前記薬剤供給処理を実行させる、薬剤供給装置に関する。【０００９】
また、前記薬剤供給制御部は、薬剤の投入量を式（１）に基づいて算出することが好ましい。
Ｗ＝Ｖ×Ｃ÷Ｎ÷Ｄ            （１）
Ｗ：薬剤の投入量
Ｖ：補給水の検出水量値
Ｃ：循環水中の薬剤の維持濃度
Ｎ：循環水の濃縮倍率
Ｄ：薬剤の密度【００１０】
また、前記循環水系は、供給された補給水を含む循環水を冷却し、冷却した循環水を被冷却装置へ供給する冷却塔に接続されると共に、循環水の電気伝導率を検出し、第１検出電気伝導率値として出力する第１電気伝導率検出手段と、補給水の電気伝導率を検出し、第２検出電気伝導率値として出力する第２電気伝導率検出手段と、を備えており、前記薬剤供給制御部は、前記第１電気伝導率検出手段から出力された第１検出電気伝導率及び前記第２電気伝導率検出手段から出力された第２検出電気伝導率を取得して、循環水の前記濃縮倍率を式（２）に基づいて算出することが好ましい。
Ｎ＝Ｅ１÷Ｅ２            （２）
Ｅ１：第１検出電気伝導率値
Ｅ２：第２検出電気伝導率値【００１１】
また、前記薬剤供給制御部は、前記循環水系を循環水が循環し、且つ補給水が当該循環水系へ供給されない期間が予め設定された許容期間を超過した場合には、前記薬剤供給手段に、補給水の水量と関係なく、予め設定された投入量の前記薬剤供給処理を実行させることが好ましい。【００１２】
また、前記薬剤供給手段は、前記薬剤供給処理において、前記循環水系に供給される薬剤として殺菌剤を供給することが好ましい。
【発明の効果】
【００１３】
本発明によれば、停止させた薬注処理の実行中に開始されるブローダウン処理により、薬剤が無駄に消費されるのを抑制できる薬剤供給装置を提供することができる。
【図面の簡単な説明】
【００１４】
【図１】実施形態の冷却システム１を示す概略構成図である。
【図２】実施形態の冷却システム１の制御に係る機能ブロック図である。
【図３】薬剤供給装置３００の概略構成図である。
【図４】薬剤供給装置３００において薬注処理を実行するタイミングを示すタイムチャートである。
【図５】薬剤供給装置３００において補助薬注処理を実行する場タイミングを示すタイムチャートである。
【図６】システム制御ユニット１００においてブロー処理を実行する場合の処理手順を示すフローチャートである。
【図７】薬剤供給装置３００において薬注処理を実行する場合の処理手順を示すフローチャートである。
【図８】薬剤供給装置３００において補助薬注処理を実行する場合の処理手順を示すフローチャートである。
【図９】薬剤供給装置３００において補助薬注処理を実行する場合の処理手順を示すフローチャートである。
【発明を実施するための形態】
【００１５】
以下、図面を参照して、本発明の実施形態を説明する。この実施形態では、本発明に係る薬剤供給装置を適用した冷却システムについて説明する。図１は、本実施形態の冷却システム１を示す概略構成図である。図２は、冷却システム１の制御に係る機能ブロック図である。図３は、薬剤供給装置３００の概略構成図である。
【００１６】
図１に示すように、本実施形態の冷却システム１は、空調機や冷凍機に組み込まれた熱交換器等の被冷却装置１３１を冷却するために、循環水Ｗ２（冷却水）を循環させるシステムである。冷却システム１の運転中、循環水Ｗ２は、冷却塔１２０で冷却されながら循環して用いられる。循環水Ｗ２は、蒸発、飛散及びブローダウン処理（後述）等により減少した分が外部から補給される。本実施形態において、産業用設備としての冷却塔１２０は、いわゆる開放式冷却塔である。
【００１７】
本実施形態の冷却システム１は、主な構成として、冷却塔１２０と、被冷却装置１３１と、第１電気伝導率検出手段としての第１電気伝導率センサ（以下、「第１ＥＣセンサ」ともいう）１３３と、薬剤供給装置３００と、第２電気伝導率検出手段としての第２電気伝導率センサ（以下、「第２ＥＣセンサ」ともいう）１３９と、システム制御ユニット１００と、を備える。また、冷却システム１は、主なラインとして、循環水ラインＬ１１０と、補給水ラインＬ１２０と、を備える。「ライン」とは、流路、経路、管路等の流体の流通が可能なラインの総称である。図１では、電気的な接続の経路を破線で示している。
【００１８】
冷却塔１２０は、補給水Ｗ１が供給されると共に、この補給水Ｗ１を循環水Ｗ２として被冷却装置１３１へ供給し、被冷却装置１３１から回収（返送）される循環水Ｗ２を冷却する設備である。冷却塔１２０は、塔本体１２１と、貯留部１２２と、を備える。冷却塔１２０及び循環水ラインＬ１１０は、循環水系を構成する。
【００１９】
塔本体１２１は、冷却塔１２０の外郭を形成する筐体である。塔本体１２１は、散水部、ファン、開口部、ルーバー、充填材等からなる循環水冷却部（不図示）を有する。循環水Ｗ２は、循環水冷却部により冷却され、貯留部１２２に落下する。
【００２０】
貯留部１２２は、循環水冷却部で冷却された循環水Ｗ２を貯留する部位である。貯留部１２２は、塔本体１２１の下部に設けられている。貯留部１２２の底部には、循環水ラインＬ１１０の循環水供給ラインＬ１１１（後述）が接続されている。貯留部１２２に貯留された循環水Ｗ２は、循環水供給ラインＬ１１１を介して被冷却装置１３１へ供給される。なお、貯留部１２２には、ブローダウン処理において使用される給水栓１３７及びオーバーフロー口１３８が設けられている。
【００２１】
循環水ラインＬ１１０は、冷却塔１２０と被冷却装置１３１との間で循環水Ｗ２を循環させるラインである。循環水ラインＬ１１０は、循環水供給ラインＬ１１１と、循環水回収ラインＬ１１２と、を有する。
【００２２】
循環水供給ラインＬ１１１は、貯留部１２２と被冷却装置１３１との間を接続する。貯留部１２２内の循環水Ｗ２は、循環水供給ラインＬ１１１を介して被冷却装置１３１に供給される。
【００２３】
循環水供給ラインＬ１１１の途中には、循環水ポンプ１３２が設けられている。循環水ポンプ１３２は、循環水ラインＬ１１０（循環水供給ラインＬ１１１、循環水回収ラインＬ１１２）の上流側から下流側へ向けて、循環水Ｗ２を送り出すことができる。循環水ポンプ１３２は、システム制御ユニット１００と電気的に接続されている。循環水ポンプ１３２の運転（駆動及び停止）は、システム制御ユニット１００から出力されるポンプ運転信号により制御される。
【００２４】
循環水回収ラインＬ１１２は、被冷却装置１３１と塔本体１２１との間を接続するラインである。被冷却装置１３１において熱交換により加温された循環水Ｗ２は、循環水回収ラインＬ１１２を介して塔本体１２１の循環水冷却部（不図示）に回収される。
【００２５】
被冷却装置１３１は、循環水Ｗ２による冷却が必要な熱交換器等の各種装置である。被冷却装置１３１は、例えば、各種の化学プラントのターボ冷凍機や吸収冷凍機、建築物の空調用冷却機、食品工場の冷水製造機や真空冷却機等である。
【００２６】
被冷却装置１３１において、循環水流路の一方の端部には、循環水供給ラインＬ１１１の下流側の端部が接続されている。また、被冷却装置１３１において、循環水流路の他方の端部には、循環水回収ラインＬ１１２の上流側の端部が接続されている。
【００２７】
第１ＥＣセンサ１３３は、貯留部１２２内の循環水Ｗ２の水質を測定して、第１検出電気伝導率値として出力する装置である。第１ＥＣセンサ１３３は、システム制御ユニット１００と電気的に接続されている。第１ＥＣセンサ１３３で測定された第１検出電気伝導率値（以下、「第１電気伝導率ＥＣ１」ともいう）は、システム制御ユニット１００へ送信される。第１ＥＣセンサ１３３は、リアルタイムで循環水Ｗ２の電気伝導率を測定し、システム制御ユニット１００へ第１電気伝導率ＥＣ１を送信する。なお、第１ＥＣセンサ１３３で測定された第１電気伝導率ＥＣ１は、システム制御ユニット１００を介して薬剤供給装置３００にも送信される。
【００２８】
薬剤供給装置３００は、貯留部１２２内の循環水Ｗ２に、スケール防止剤、防食剤、殺菌剤等の薬剤を供給する薬注処理を実行可能な装置である。薬剤供給装置３００は、薬剤供給ラインＬ１４０を介して貯留部１２２に接続されている。薬剤供給装置３００は、システム制御ユニット１００と電気的に接続されている。薬剤供給装置３００の構成については、後に詳細に説明する。
【００２９】
スケール防止剤は、水中でのスケールの成長、或いは配管表面等へのスケールの堆積を防止するために用いられる化合物である。防食剤は、主に配管系等における全面腐食、或いはピッチング等の部分腐食の発生を抑制するために用いられる化合物である。殺菌剤は、水中における微生物の繁殖を抑制するために用いられる化合物であり、スライムコントロール剤とも呼ばれる。本実施形態では、スケール防止剤、防食剤、及び殺菌剤を総称して「薬剤」又は「薬剤Ｗ３」という。
【００３０】
スケール防止剤、防食剤、及び殺菌剤は、例えば一液型のマルチ薬剤として提供され、薬剤タンク３３０、薬剤供給ポンプ３５０及び薬剤供給ラインＬ１４０（いずれも後述）から貯留部１２２に供給される。
なお、薬剤供給装置３００の構成については、後に詳細に説明する。
【００３１】
薬剤供給ラインＬ１４０は、薬剤Ｗ３を貯留部１２２へ供給するラインである。薬剤供給ラインＬ１４０の上流側の端部は、薬剤供給ポンプ３５０（後述）の吐出口に接続されている。薬剤供給ラインＬ１４０の下流側の端部は、貯留部１２２に接続されている。
【００３２】
また、冷却塔１２０には、補給水ラインＬ１２０が接続されている。補給水ラインＬ１２０は、補給水Ｗ１を貯留部１２２へ補給するラインである。補給水ラインＬ１２０は、上流側に第１補給水ラインＬ１２１を備え、下流側に第２補給水ラインＬ１２２及び第３補給水ラインＬ１２３を備える。第１補給水ラインＬ１２１は、水道水や工業用水等の補給水Ｗ１の供給源（不図示）に接続されている。補給水ラインＬ１２０は、分岐部Ｊ３において、第２補給水ラインＬ１２２及び第３補給水ラインＬ１２３に分岐している。分岐部Ｊ３は、接続部Ｊ４（後述）と冷却塔１２０との間に配置されている。
【００３３】
第１補給水ラインＬ１２１には、流量センサ１３５が接続されている。流量センサ１３５は、第１補給水ラインＬ１２１を流通する補給水Ｗ１の単位時間当たりの流量を検出する機器である。流量センサ１３５は、接続部Ｊ４において第１補給水ラインＬ１２１に接続されている。接続部Ｊ４は、接続部Ｊ５（後述）と分岐部Ｊ３との間に配置されている。流量センサ１３５として、例えば、流路ハウジング内に軸流羽根車又は接線羽根車（不図示）を配置したパルス発信式の流量センサを用いることができる。
【００３４】
本実施形態で用いられるパルス発信式の流量センサは、偶数枚の羽根の先端部分がＮ極とＳ極とに交互に着磁された羽根車を備える。パルス発信式の流量センサは、この羽根車の回転をホールＩＣで検出することにより、補給水Ｗ１の流速に比例した時間幅のパルス信号を出力する。ホールＩＣは、電圧レギュレータ、ホール素子、増幅回路、シュミットトリガ回路、出力トランジスタ等がパッケージ化された電子回路である。この電子回路は、羽根車の回転運動に伴う磁束変化に応答して、羽根車が１回転する毎に矩形波のパルス信号を検出水量値として出力する。羽根車が１回転するときの流量［Ｌ／パルス］は、流量センサの設計仕様により決まる。そのため、薬剤供給装置３００の薬注制御部３１１（後述）は、流量センサ１３５から出力されるパルス信号に基づいて、補給水Ｗ１の補給水量［Ｌ］を算出することができる。
【００３５】
例えば、流量センサ１３５において、羽根車が１回転するときの流量を１［Ｌ］としたときに、流量センサ１３５から出力されたパルス信号の数が３パルスであれば、補給水Ｗ１の補給水量は３［Ｌ］となる。
【００３６】
流量センサ１３５は、薬剤供給装置３００を構成する機器の一つである。流量センサ１３５は、薬剤供給装置３００と電気的に接続されている。流量センサ１３５から出力されたパルス信号は、薬剤供給装置３００へ送信される。
【００３７】
また、第１補給水ラインＬ１２１には、第２ＥＣセンサ１３９が接続されている。第２ＥＣセンサ１３９は、第１補給水ラインＬ１２１を流通する補給水Ｗ１の水質を測定して、第２検出電気伝導率値として出力する装置である。第２ＥＣセンサ１３９は、接続部Ｊ５において第１補給水ラインＬ１２１に接続されている。接続部Ｊ５は、補給水Ｗ１の供給源（不図示）と接続部Ｊ４との間に配置されている。第２ＥＣセンサ１３９は、システム制御ユニット１００と電気的に接続されている。第２ＥＣセンサ１３９で測定された第２検出電気伝導率値（以下、「第２電気伝導率ＥＣ２」ともいう）は、システム制御ユニット１００へ送信される。第２ＥＣセンサ１３９は、リアルタイムで補給水Ｗ１の電気伝導率を測定し、システム制御ユニット１００へ第２電気伝導率ＥＣ２を送信する。なお、第２ＥＣセンサ１３９で測定された第２電気伝導率ＥＣ２は、システム制御ユニット１００を介して薬剤供給装置３００にも送信される。
【００３８】
第２補給水ラインＬ１２２の下流側の端部は、塔本体１２１に接続されている。第２補給水ラインＬ１２２において、分岐部Ｊ３と冷却塔１２０との間には、補給水バルブ１３６が設けられている。
【００３９】
補給水バルブ１３６は、第２補給水ラインＬ１２２を開閉することができる。第２補給水ラインＬ１２２を開くことにより、補給水Ｗ１を貯留部１２２に強制的に供給することができる。補給水バルブ１３６は、システム制御ユニット１００と電気的に接続されている。補給水バルブ１３６の開閉状態は、システム制御ユニット１００（ブローダウン処理制御部２００）から出力されるバルブ駆動信号により制御される。補給水バルブ１３６を開状態とすることにより、第２補給水ラインＬ１２２を開くことができる。補給水バルブ１３６を閉状態とすることにより、第２補給水ラインＬ１２２を閉じることができる。
【００４０】
第３補給水ラインＬ１２３の下流側の端部は、塔本体１２１に接続されている。第３補給水ラインＬ１２３の下流側の端部には、給水栓１３７が設けられている。給水栓１３７は、貯留部１２２内の循環水Ｗ２の水位（すなわち、水量）を管理するボールタップ式の給水設備である。循環水Ｗ２の蒸発及び飛散により貯留部１２２の水位が低下すると、給水栓１３７のボールタップが作動し、第３補給水ラインＬ１２３を流通する補給水Ｗ１が貯留部１２２に補給される。
【００４１】
排水ラインＬ１３０は、貯留部１２２の内部に略垂直に取り付けられている。排水ラインＬ１３０は、貯留部１２２から更に下方に延びている。排水ラインＬ１３０の上流側の端部は、循環水Ｗ２のオーバーフロー口１３８を形成する。オーバーフロー口１３８は、給水栓１３７の管理水位よりも上方に開口する。一方、排水ラインＬ１３０の下流側の端部は、貯留部１２２の外部に通じている。排水ラインＬ１３０は、後述するブローダウン処理において、補給水バルブ１３６が開状態となり、補給水Ｗ１を強制的に供給した場合に、貯留部１２２から溢れた循環水Ｗ２を系外に排出するラインである。
【００４２】
上記構成において、補給水バルブ１３６を開状態とすることにより、補給水Ｗ１を冷却塔１２０に補給しながら、循環水Ｗ２の一部を冷却塔１２０から外部に排出するブローダウン処理を実行することができる。
【００４３】
次に、図２を参照して、冷却システム１の制御に係る機能について説明する。
【００４４】
システム制御ユニット１００は、冷却システム１における各部の動作を制御する。図２に示すように、システム制御ユニット１００は、例えば、循環水ポンプ１３２、薬剤供給装置３００、及び補給水バルブ１３６と電気的に接続される。
【００４５】
また、システム制御ユニット１００は、冷却システム１の各測定装置と電気的に接続され、これら測定装置から測定情報を受信する。例えば、システム制御ユニット１００は、測定装置としての第１ＥＣセンサ１３３、第２ＥＣセンサ１３９、及び流量センサ１３５と電気的に接続される。システム制御ユニット１００において、各測定装置から受信した最新の測定情報は、適宜、メモリ２１０に記憶される。
【００４６】
システム制御ユニット１００は、ブローダウン処理制御部２００と、メモリ２１０と、を備える。システム制御ユニット１００におけるブローダウン処理制御部２００の機能は、ＣＰＵ及び内部メモリ含むマイクロプロセッサ（不図示）により実現される。
【００４７】
ブローダウン処理制御部２００は、第１ＥＣセンサ１３３で検出された循環水Ｗ２の第１電気伝導率ＥＣ１が、予め設定された上限閾値ＥＣｂ１以上となった場合に、補給水バルブ１３６を制御して循環水Ｗ２のブローダウン処理を実行させる。上限閾値ＥＣｂ１は、例えば、スケール防止剤及び防食剤の効果の持続性を担保できる濃縮倍数を考慮して決定される。
【００４８】
ブローダウン処理制御部２００は、ブローダウン処理として、循環水Ｗ２の排水及び補給水Ｗ１の補給を同時に（又は連続して）実施する。具体的には、ブローダウン処理制御部２００は、第１電気伝導率ＥＣ１≧上限閾値ＥＣｂ１となった場合、すなわち循環水Ｗ２の水質が悪化した場合に、補給水バルブ１３６を開状態として、第２補給水ラインＬ１２２を通じて新鮮な補給水Ｗ１を貯留部１２２に強制的に補給する。補給水Ｗ１が補給されると、貯留部１２２の水位が上昇するため、オーバーフロー口１３８から溢れた循環水Ｗ２が排水ラインＬ１３０を通じて外部に排出される。すなわち、ブローダウン処理が実行されると、濃縮の進んだ循環水Ｗ２の一部は、補給水Ｗ１と入れ替わる。そのため、循環水ラインＬ１１０を流通する循環水Ｗ２は、全体として第１電気伝導率ＥＣ１が低下する。
【００４９】
そして、ブローダウン処理制御部２００は、補給水バルブ１３６を開状態とした後、第１電気伝導率ＥＣ１≦下限閾値ＥＣｂ２となった場合、すなわち循環水Ｗ２の水質が回復した場合に、補給水バルブ１３６を閉状態として、補給水Ｗ１の補給を停止させる。なお、当然ながら、ブローダウン処理の開始点である上限閾値ＥＣｂ１とブローダウン処理の終了点である下限閾値ＥＣｂ２との関係は、上限閾値ＥＣｂ１＞下限閾値ＥＣｂ２である。
【００５０】
ブローダウン処理制御部２００は、ブローダウン処理を実行する際に、薬剤供給装置３００に外部停止信号（インターロック信号）を出力する。外部停止信号は、ブローダウン処理の実行（開始）を通知するための信号である。また、ブローダウン処理制御部２００は、ブローダウン処理が終了した際に、薬剤供給装置３００への外部停止信号の出力を停止する。
【００５１】
メモリ２１０は、ブローダウン処理等に関する各種のデータを記憶する記憶装置である。例えば、メモリ２１０には、第１ＥＣセンサ１３３で測定された第１電気伝導率ＥＣ１（更新値）、第２ＥＣセンサ１３９で測定された第２電気伝導率ＥＣ２（更新値）、ブローダウン処理の開始点である上限閾値ＥＣｂ１（設定値）、ブローダウン処理の終了点である下限閾値ＥＣｂ２（設定値）、ブローダウン処理を実行させるための制御プログラム等が記憶される。
【００５２】
次に、図３を参照して、薬剤供給装置３００の構成について詳細に説明する。
図３に示すように、薬剤供給装置３００は、主な構成として、薬注制御ユニット３１０と、流量センサ１３５と、薬剤タンク３３０と、薬剤供給ポンプ３５０と、を備える。このうち、薬剤タンク３３０及び薬剤供給ポンプ３５０は、本発明における薬剤供給手段を構成する。
【００５３】
まず、薬剤供給装置３００の制御系の構成について説明する。薬注制御ユニット３１０は、薬剤供給制御部としての薬注制御部３１１と、計時部３１２と、メモリ３２０と、を備える。薬注制御ユニット３１０における薬注制御部３１１及び計時部３１２の各機能は、ＣＰＵ及び内部メモリ含むマイクロプロセッサ（不図示）により実現される。なお、本実施形態において、システム制御ユニット１００は、薬剤供給装置３００に搭載されており、システム制御ユニット１００と薬注制御ユニット３１０の間で各種の測定値や制御状態等の情報を共有する。
【００５４】
薬注制御部３１１は、流量センサ１３５から出力されたパルス信号に基づいて補給水Ｗ１の補給水量を算出する。そして、薬注制御部３１１は、算出した補給水Ｗ１の補給水量に比例した投入量の薬剤Ｗ３が循環水Ｗ２に供給されるように、薬剤供給ポンプ３５０において薬注処理（流量薬注処理）を実行させる。
【００５５】
具体的には、薬注制御部３１１は、流量センサ１３５から出力されるパルス信号の数をカウントする。そして、薬注制御部３１１は、カウントしたパルス信号の数（以下、「パルス信号数」ともいう）が所定のパルス信号数に達する毎に、そのパルス信号数（補給水量）に比例した投入量の薬剤Ｗ３が循環水Ｗ２に供給されるように、薬剤供給ポンプ３５０（後述）にポンプ駆動信号を出力する（分周制御）。これにより、薬剤供給装置３００において、薬注処理が実行される。
【００５６】
なお、薬注制御部３１１において、流量センサ１３５からパルス信号が一つ出力される毎に、所定量の薬剤が循環水Ｗ２に供給されるように、薬注処理を複数回繰り返し実行してもよい（カウンタ制御）。
【００５７】
薬注制御部３１１は、算出した薬剤の投入量に対応したパルス幅を有するポンプ駆動信号を薬剤供給ポンプ３５０に出力する。これにより、薬剤供給ポンプ３５０では、薬注制御部３１１から出力されたポンプ駆動信号のパルス幅の期間（運転時間）に亘って、指定されたストローク数で薬剤の投入が実行される。この動作により、薬剤タンク３３０から必要量の薬剤Ｗ３が循環水Ｗ２に供給される。
【００５８】
薬注制御部３１１は、ブローダウン処理制御部２００（システム制御ユニット１００）によるブローダウン処理が実行中であれば、ブローダウン処理が終了するまで薬注処理の実行を待機する。そして、薬注制御部３１１は、ブローダウン処理の終了後に、ブローダウン処理の実行期間中に検出された補給水量に比例した投入量の薬剤Ｗ３が循環水Ｗ２に供給されるように、薬注処理を実行する。
【００５９】
薬注制御部３１１は、ブローダウン処理制御部２００から外部停止信号が出力されたときに、ブローダウン処理が開始（実行）されたと判定する。また、薬注制御部３１１は、ブローダウン処理制御部２００から外部停止信号の出力が停止したときに、ブローダウン処理が終了したと判定する。
【００６０】
また、薬注制御部３１１は、待機させた薬注処理の実行中に、次のブローダウン処理が実行された場合には、薬注処理の実行を中断する。ここで、薬注制御部３１１は、中断した薬注処理において循環水Ｗ２に供給されなかった薬剤の投入量分をメモリ３２０に記憶させる。また、薬注制御部３１１は、次のブローダウン処理の実行期間中に、流量センサ１３５から出力されるパルス信号の数をパルス信号数Ｐとしてカウントする。これにより、薬注制御部３１１は、次のブローダウン処理の終了後に、そのブローダウン処理の実行期間中における補給水量を算出することができる。
【００６１】
そして、薬注制御部３１１は、次のブローダウン処理の終了後に、メモリ３２０に記憶させた薬剤の投入量分と、次のブローダウン処理の実行期間中に検出されたパルス信号数Ｐ（補給水量）に比例した薬剤の投入量分とを合計した量（以下、「合計量」ともいう）の薬剤Ｗ３が循環水Ｗ２に供給されるように、薬剤Ｗ３の合計量に対応したパルス幅を有するポンプ駆動信号を薬剤供給ポンプ３５０に出力する。
【００６２】
薬注制御部３１１は、補給水量［Ｌ］に比例した薬剤の投入量Ｗ［ｍＬ］を、下記の式（１）に基づいて算出する。
Ｗ＝Ｖ×Ｃ÷Ｎ÷Ｄ            （１）
Ｗ：薬剤の投入量［ｍＬ］
Ｖ：補給水Ｗ１の検出水量値［Ｌ］
Ｃ：循環水Ｗ２中の薬剤の維持濃度［ｍＬ／Ｌ］
Ｎ：循環水Ｗ２の濃縮倍率［−］
Ｄ：薬剤の密度［ｍｇ／ｍＬ］
ここで、薬剤の維持濃度とは、単位補給水量当たりの薬剤量である。
【００６３】
また、薬注制御部３１１は、式（１）における循環水Ｗ２の濃縮倍率Ｎを、下記の式（２）に基づいて算出する。
Ｎ＝Ｅ１÷Ｅ２            （２）
Ｎ：循環水Ｗ２の濃縮倍率［−］
Ｅ１：第１検出電気伝導率値［ｍＳ／ｍ］
Ｅ２：第２検出電気伝導率値［ｍＳ／ｍ］
【００６４】
なお、第１検出電気伝導率値Ｅ１は、第１ＥＣセンサ１３３から出力される循環水Ｗ２の第１電気伝導率ＥＣ１である。また、第２検出電気伝導率値Ｅ２は、第２ＥＣセンサ１３９から出力される補給水Ｗ１の第２電気伝導率ＥＣ２である。第１電気伝導率ＥＣ１及び第２電気伝導率ＥＣ２は、システム制御ユニット１００を介して薬剤供給装置３００に送信される。
【００６５】
スケール防止剤や防食剤等の薬剤は、適正な濃度を循環水Ｗ２中に維持し続けることが必要である。薬剤濃度の変動が大きい場合には、十分な効果が得られない。従って、循環水Ｗ２の薬注管理では、薬剤が効果を発揮する薬剤維持濃度以上に保つことが必要である。従来の薬注管理における薬剤の必要量は、循環水Ｗ２中で薬剤が最も濃縮されていない状態、すなわち循環水Ｗ２の濃縮倍率が最も低い状態に基づいて決定されていた。言い換えると、従来の薬注管理における薬剤の必要量は、固定値として運用されていた。しかしながら、循環水Ｗ２及び補給水Ｗ１の電気伝導率は、いずれも経時的に変動するため、循環水Ｗ２の濃縮倍率は一定値でない。そのため、従来の薬注管理では、循環水Ｗ２の濃縮倍率が上昇した場合には、薬剤濃度は薬剤維持濃度を超過してしまう。そのため、従来の薬注管理では、超過分の薬剤が無駄になる可能性があった。これに対して、本実施形態の薬注制御部３１１は、循環水Ｗ２の濃縮倍率の変化に追従して、薬剤の必要量を調整する。
【００６６】
まず、循環水Ｗ２の電気伝導率（第１電気伝導率ＥＣ１）が変動する場合について、その効果を説明する。本実施形態の冷却システム１において、冷却塔１２０の運転中における循環水Ｗ２の第１電気伝導率ＥＣ１は、ブローダウン処理制御部２００によって上限閾値ＥＣｂ１から下限閾値ＥＣｂ２の間で推移するように管理される。例えば、薬剤維持濃度が２００ｍｇ／Ｌ、上限閾値ＥＣｂ１が１２０ｍＳ／ｍ、下限閾値ＥＣｂ２が１００ｍＳ／ｍに設定され、薬剤の密度が１．１５ｍｇ／ｍＬ、補給水Ｗ１の電気伝導率が２０ｍＳ／ｍである場合を仮定する。循環水Ｗ２の濃縮が進み、第１電気伝導率ＥＣ１＝上限閾値ＥＣｂ１となった時点では、循環水Ｗ２の濃縮倍率は６であり、薬剤の必要量は２９ｍＬ／Ｌとなる。一方、ブローダウン処理が実行され、第１電気伝導率ＥＣ１＝下限閾値ＥＣｂ２となった時点では、循環水Ｗ２の濃縮倍率は５であり、薬剤の必要量は３５ｍＬ／Ｌとなる。つまり、薬注制御部３１１は、循環水Ｗ２の濃縮倍率が５〜６の範囲で変化するのに追従して、薬剤の必要量を３５〜２９ｍＬ／Ｌの範囲で調整する。そのため、本実施形態の冷却システム１によれば、薬剤維持濃度を２００ｍｇ／Ｌに保ちながら、薬剤の無駄な使用を抑制することができる。
【００６７】
次に、補給水Ｗ１の第２電気伝導率ＥＣ２が変動する場合について、その効果を説明する。補給水Ｗ１の第２電気伝導率ＥＣ２は、工業用水や地下水等を補給水Ｗ１に用いている場合、季節的な要因（例えば、降雨量）等により変化する。また、補給水Ｗ１の第２電気伝導率ＥＣ２は、工業用水や地下水等に、再利用水（例えば、洗浄に用いた純水）をブレンドして補給水Ｗ１としている場合、再利用水の回収率等により変化する。
【００６８】
例えば、薬剤維持濃度が２００ｍｇ／Ｌに設定され、薬剤の密度が１．１５ｍｇ／ｍＬ、循環水Ｗ２の電気伝導率が１１０ｍＳ／ｍ、補給水Ｗ１の電気伝導率の変動範囲が１５〜２５ｍＳ／ｍである場合を仮定する。補給水Ｗ１の水質が良好で、第２電気伝導率ＥＣ２＝１５ｍＳ／ｍとなった時点では、循環水Ｗ２の濃縮倍率は７．３であり、薬剤の必要量は２４ｍＬ／Ｌとなる。
【００６９】
一方、補給水Ｗ１の水質が悪化し、第２電気伝導率ＥＣ２＝２５ｍＳ／ｍとなった時点では、循環水Ｗ２の濃縮倍率は４．４であり、薬剤の必要量は４０ｍＬ／Ｌとなる。つまり、薬注制御部３１１は、循環水Ｗ２の濃縮倍率が４．４〜７．３の範囲で変化するのに追従して、薬剤の必要量を４０〜２４ｍＬ／Ｌの範囲で調整する。そのため、本実施形態の冷却システム１によれば、薬剤維持濃度を２００ｍｇ／Ｌに保ちながら、薬剤の無駄な使用を抑制することができる。
【００７０】
なお、薬注制御部３１１において、式（２）による濃縮倍率Ｎの算出は、循環水Ｗ２の第１検出電気伝導率値Ｅ１（第１電気伝導率ＥＣ１）が予め設定された規定値以上（例えば、下限閾値ＥＣｂ２以上）の場合に適用される。例えば、冷却システム１を設置した直後の運転開始時や、循環水Ｗ２を全部入れ替えた場合等においては、第１電気伝導率ＥＣ１と第２電気伝導率ＥＣ２とがほぼ等しくなる。そのときに、式（２）で算出した濃縮倍率に基づいて薬剤維持濃度を達成しようとすると、式（１）により算出される薬剤の投入量が過剰に多くなる。そのため、薬注制御部３１１は、第１電気伝導率ＥＣ１が予め設定された規定値未満の場合には、薬剤の基礎投入濃度と循環水系の保有水量に基づいて設定された所定の基礎投入量を一括して薬注する。
【００７１】
また、薬注制御部３１１は、冷却塔１２０の運転中であり、且つ補給水Ｗ１が冷却塔１２０へ供給されない期間（後述する滞留時間ＴＴ）が予め設定された許容期間を超過した場合には、薬剤供給ポンプ３５０において薬注処理（以下、「補助薬注処理」ともいう）を実行させる。補助薬注処理においては、予め設定された投入量の薬剤Ｗ３が循環水Ｗ２に供給される。本実施形態では、補助薬注処理において、循環水Ｗ２に殺菌剤を供給する。なお、補助薬注処理において、通常の薬注処理と同じくスケール防止剤、防食剤及び殺菌剤を併用して供給してもよい。
【００７２】
薬注制御部３１１は、システム制御ユニット１００から循環水ポンプ１３２へ出力されるポンプ運転信号に基づいて、冷却塔１２０の運転状態を判定する。すなわち、薬注制御部３１１は、システム制御ユニット１００から循環水ポンプ１３２へポンプ運転信号が出力されている場合には、冷却塔１２０が運転中であると判定する。また、薬注制御部３１１は、システム制御ユニット１００から循環水ポンプ１３２へポンプ運転信号が出力されていない場合には、冷却塔１２０が運転停止中であると判定する。なお、ポンプ運転信号は、システム制御ユニット１００から薬注制御部３１１にも送信される。
【００７３】
補給水Ｗ１が冷却塔１２０へ供給されない期間（以下、「滞留時間ＴＴ」ともいう）は、計時部３１２（後述）により計時される。薬注制御部３１１は、流量センサ１３５からパルス信号を受信してから経過した時間を、計時部３１２に滞留時間ＴＴとして計時させる。そして、薬注制御部３１１は、計時部３１２の計時する滞留時間ＴＴが予め設定された許容滞留時間ＴＷを超過した場合に、所定の投入量の薬剤が循環水Ｗ２に供給されるように薬注処理を実行する。
【００７４】
薬注制御部３１１は、流量センサ１３５からパルス信号を受信しない場合には、流量センサ１３５においてパルス信号が出力されていないことを計時部３１２に通知して、滞留時間ＴＴの計時をスタートさせる。また、薬注制御部３１１は、計時部３１２の計時する滞留時間ＴＴが予め設定された許容滞留時間ＴＷを超過する前に、流量センサ１３５から次のパルス信号を受信した場合には、流量センサ１３５においてパルス信号が出力されたことを計時部３１２に通知して、計時部３１２における滞留時間ＴＴの計時をリセットさせる。
【００７５】
薬注制御部３１１は、補助薬注処理を実行している間に、ブローダウン処理が実行された場合には、補助薬注処理の実行を終了する。なお、この場合において、ブローダウン処理の実行期間中における補給水量に比例した薬剤の投入量は、先に説明した薬注処理と同じく、上述した式（１）、（２）に基づいて算出される。
【００７６】
計時部３１２は、補給水Ｗ１が冷却塔１２０へ供給されない期間を、滞留時間ＴＴとして計時する。具体的には、計時部３１３は、流量センサ１３５においてパルス信号が出力されていないことを薬注制御部３１１から通知されると、滞留時間ＴＴの計時をスタートする。また、計時部３１３は、流量センサ１３５においてパルス信号が出力されたことを薬注制御部３１１から通知されると、滞留時間ＴＴの計時をストップする。計時部３１２は、計時した滞留時間ＴＴをメモリ３２０に記憶させる。また、計時部３１２は、滞留時間ＴＴの計時中に補給水Ｗ１が冷却塔１２０へ供給され、流量センサ１３５においてパルス信号が出力されたことを薬注制御部３１１から通知されると、計時した滞留時間ＴＴをリセットする（例えば、後述する図８のステップＳＴ３０６）。
【００７７】
メモリ３２０は、薬注処理に関する各種のデータを記憶する記憶装置である。例えば、メモリ３２０には、薬注制御部３１１でカウントされるパルス信号数Ｐ、中断させた薬注処理又は補助薬注処理において循環水Ｗ２に供給されなかった薬剤の投入量分、計時部３１２で計時された滞留時間ＴＴ、薬注処理及び補助薬注処理を実行させるための制御プログラム等が記憶される。
【００７８】
次に、図３に示す薬剤供給装置３００において、循環水Ｗ２に薬剤Ｗ３を供給するライン及びその周辺設備の構成について説明する。
【００７９】
薬剤タンク３３０は、内部に薬剤を貯留可能な容器である。薬剤タンク３３０の内部には、レベルセンサ３４０が設けられている。また、薬剤タンク３３０には、薬剤供給ポンプ３５０が接続されている。
【００８０】
レベルセンサ３４０は、薬剤タンク３３０内の薬剤の液位（すなわち、液量）を検出する機器である。レベルセンサ３４０は、薬注制御ユニット３１０と電気的に接続されている。レベルセンサ３４０は、薬剤タンク３３０内の薬剤の液位に応じたレベル信号を出力する。レベルセンサ３４０から出力されたレベル信号は、薬注制御ユニット３１０に送信される。薬注制御ユニット３１０は、レベル信号が満水液位Ａから減少して、設定液位Ｂに満たなくなると、例えば、警報器に警報を一定時間発生させて、管理者に薬剤の補充を促す。
【００８１】
薬剤供給ポンプ３５０は、薬剤タンク３３０内の薬剤Ｗ３を、薬剤供給ラインＬ１４０を介して貯留部１２２に向けて送出する装置である。本実施形態の薬剤供給ポンプ３５０は、電磁駆動ダイアフラム式の定量ポンプである。薬剤供給ポンプ３５０として、電磁駆動ダイアフラム式の定量ポンプを用いた場合、ダイアフラム弁（不図示）が往復運動することにより、薬剤Ｗ３が断続的に薬剤供給ラインＬ１４０へ押し込まれる。その結果、薬剤供給ラインＬ１４０の上流側では圧力が上昇するため、薬剤Ｗ３は、薬剤供給ラインＬ１４０の下流側から貯留部１２２に吐出される。
【００８２】
薬剤供給ポンプ３５０は、ダイアフラム弁の１ストローク当たりの吐出量［ｍＬ／ストローク］を所定値に設定し、且つストローク数［ストローク／分］を増減することにより、薬剤の吐出流量［ｍＬ／分］を調節できる。ストローク数とは、単位時間当たりにダイアフラム弁が往復運動する回数をいい、１往復が１ストロークに相当する。薬剤供給ポンプ３５０は、薬注制御部３１１（薬注制御ユニット３１０）と電気的に接続されている。薬剤供給ポンプ３５０は、薬注制御部３１１からポンプ駆動信号（パルス信号）が出力されると、そのパルス幅の期間（以下、「運転時間」ともいう）に亘って、指定されたストローク数での薬剤の投入を実行する。
【００８３】
なお、本実施形態では、スケール防止剤、防食剤、及び殺菌剤を配合した一液型のマルチ薬剤を、一つの薬剤供給装置３００から貯留部１２２に供給する例について説明する。化合物の特性により一液に配合することが困難な場合には、スケール防止剤、防食剤、及び殺菌剤を、それぞれ個別の薬剤供給装置から貯留部１２２に供給してもよい。
【００８４】
薬剤供給ラインＬ１４０には、フローチェッカ１４１及びチェックバルブ１４２が設けられている。
【００８５】
フローチェッカ１４１は、薬剤供給ラインＬ１４０における薬剤Ｗ３の流通状態を検出する機器である。フローチェッカ１４１は、薬注制御ユニット３１０と電気的に接続されている。フローチェッカ１４１は、薬剤供給ラインＬ１４０を薬剤Ｗ３が適正に流通していないことを検出した場合、薬注制御ユニット３１０に検出信号を送信する。例えば、薬剤供給ラインＬ１４０に気泡や固形物が混入し、一時的に薬剤Ｗ３の流通が滞った場合には、フローチェッカ１４１から薬注制御ユニット３１０に閉塞検出信号が送信される。フローチェッカ１４１は、薬剤供給ラインＬ１４０において、薬剤タンク３３０とチェックバルブ１４２との間に設けられている。
【００８６】
チェックバルブ１４２は、薬剤の流通方向を規制する弁である。チェックバルブ１４２は、薬剤タンク３３０から貯留部１２２に向けて薬剤Ｗ３が圧送されるときには、弁体が開き、貯留部１２２から逆流が起こったときには、弁体が閉じる。チェックバルブ１４２は、薬剤供給ラインＬ１４０と貯留部１２２との接続部分に設けられている。
【００８７】
次に、上述した薬剤供給装置３００において、薬注処理及び補助薬注処理を実行するタイミングについて説明する。
【００８８】
まず、薬注処理（流量比例薬注）を実行する場合における薬注制御部３１１の動作について、図４を参照して説明する。図４（Ａ）は、薬注処理（流量比例薬注）を実行する場合のタイムチャートである。図４（Ｂ）は、ブローダウン処理により薬注処理を待機させた場合のタイムチャートである。図４（Ｃ）は、待機させた薬注処理を実行中に次のブローダウン処理が実行された場合のタイムチャートである。
【００８９】
なお、図４及び図５（後述）おいて、「流量パルス」は、流量センサ１３５から出力されるパルス信号を示す。「薬注動作」は、薬剤供給ポンプ３５０（薬剤供給装置３００）の運転時間を示す。「ブローダウン動作」は、ブローダウン処理中における補給水バルブ１３６の開時間を示す。また、図４及び図５に示す波形は、それぞれの時間間隔を概念的な長さで示しており、実際の時間間隔とは対応していない。また、薬注動作においては、循環水Ｗ２に供給される薬剤の投入量を、その投入量に比例したパルス幅で示す。
【００９０】
図４（Ａ）に示すように、流量センサ１３５から出力されるパルス信号（流量パルス）が所定のパルス信号数（例えば、３パルス）に達する毎に、薬注制御部３１１は、薬剤供給ポンプ３５０へポンプ駆動信号を出力して、薬注処理（薬注動作）を実行させる。
【００９１】
次に、図４（Ｂ）に示すように、ブローダウン処理Ａが実行された場合、薬注制御部３１１は、ブローダウン処理Ａが終了するまで、薬剤供給ポンプ３５０へのポンプ駆動信号の出力を停止して、薬注処理の実行を待機させる。薬注制御部３１１は、ブローダウン処理Ａの実行期間中に流量センサ１３５から出力されるパルス信号数Ｐ１をカウントする。そして、薬注制御部３１１は、ブローダウン処理Ａの終了後に、カウントしたパルス信号数Ｐ１（補給水量ｑ１）に比例した薬剤の投入量Ｑ１が循環水Ｗ２へ供給されるように、薬剤の投入量Ｑ１に対応したパルス幅を有するポンプ駆動信号を薬剤供給ポンプ３５０へ出力する。これにより、薬剤供給装置３００において、薬注処理ａが実行される。
【００９２】
なお、図４（Ｂ）に示すように、薬注制御部３１１は、薬注処理ａの実行中に、流量センサ１３５からパルス信号が出力された場合、そのパルス信号数（補給水量ｑ３）に比例した薬剤の投入量Ｑ３が循環水Ｗ２へ供給されるように、薬剤の投入量Ｑ３に対応したパルス幅を有するポンプ駆動信号を薬剤供給ポンプ３５０へ出力する。このため、薬注処理ａでは、薬剤の投入量Ｑ１＋Ｑ３に対応したパルス幅を有するポンプ駆動信号が薬剤供給ポンプ３５０へ出力される。
【００９３】
次に、図４（Ｃ）に示すように、図４（Ｂ）で待機させた薬注処理ａを実行させている間に、次のブローダウン処理Ｂが実行された場合、薬注制御部３１１は、ブローダウン処理Ｂが終了するまで、薬剤供給ポンプ３５０への駆動信号の出力を停止して、薬注処理ａの実行を中断させる。薬注制御部３１１は、ブローダウン処理Ｂの実行期間中に流量センサ１３５から出力されるパルス信号数Ｐ２をカウントする。また、薬注制御部３１１は、中断させた薬注処理ａにおいて循環水Ｗ２に供給されなかった薬剤の投入量ＱＸをメモリ３２０に記憶させる。
【００９４】
そして、薬注制御部３１１は、ブローダウン処理Ｂの終了後に、メモリ３２０に記憶させていた、薬注処理ａにおいて循環水Ｗ２に供給されなかった薬剤の投入量分ＱＸと、ブローダウン処理Ｂの実行期間中に検出されたパルス信号数Ｐ２（補給水量ｑ２）に比例した薬剤の投入量分Ｑ２（算出値）とを合計した量（及び薬剤の投入量Ｑ３）の薬剤Ｗ３が循環水Ｗ２に供給されるように、薬剤の投入量分ＱＸ＋Ｑ２＋Ｑ３に対応したパルス幅を有するポンプ駆動信号を薬剤供給ポンプ３５０へ出力する。これにより、薬剤供給装置３００において、薬注処理ａ´が実行（再開）される。
【００９５】
次に、補助薬注処理を実行する場合における薬注制御部３１１の動作について、図５を参照して説明する。図５は、薬剤供給装置３００において、補助薬注処理を実行するタイミングを示すタイムチャートである。図５では、流量センサ１３５から出力されるパルス信号（流量パルス）を省略する。
【００９６】
図５に示すように、冷却塔１２０の運転期間中において、ブローダウン処理Ａの終了後、補給水Ｗ１が冷却塔１２０へ供給されない期間、すなわち流量センサ１３５からパルス信号が出力されない期間（滞留時間ＴＴ）が予め設定された許容滞留時間ＴＷを超過したとする。この場合、薬注制御部３１１は、薬剤供給ポンプ３５０にポンプ駆動信号を出力して、補助薬注処理ｂを実行させる。補助薬注処理では、予め設定された投入量ＱＳの薬剤が循環水Ｗ２に供給されるように、薬注制御部３１１から薬剤供給ポンプ３５０にポンプ駆動信号が出力される。
【００９７】
また、補助薬注処理ｂの実行中に、ブローダウン処理Ｂが実行された場合、薬注制御部３１１は、投入量ＱＳの薬剤供給の完了を待たずに、薬剤供給ポンプ３５０へのポンプ駆動信号の出力を停止して、補助薬注処理ｂの実行を終了させる。薬注制御部３１１は、ブローダウン処理Ｂの実行期間中に流量センサ１３５から出力されるパルス信号数Ｐ４をカウントする。そして、薬注制御部３１１は、ブローダウン処理Ｂの終了後に、ブローダウン処理Ｂの実行期間中に検出されたパルス信号数Ｐ４（補給水量ｑ４）に比例した投入量Ｑ４の薬剤Ｗ３が循環水Ｗ２に供給されるように、薬剤Ｗ３の投入量Ｑ４に対応したパルス幅を有するポンプ駆動信号を薬剤供給ポンプ３５０に出力する。これにより、薬注処理（流量比例薬注）ｂ´が実行される。
【００９８】
ここで、薬注制御部３１１は、終了させた補助薬注処理ｂにおいて循環水Ｗ２に供給されなかった薬剤の投入量分ＱＸについては、薬注処理を実行させない。補助薬注処理は、循環水Ｗ２の長時間の滞留に伴う薬効の低下や喪失を補うものとして実行される。ブローダウン処理Ｂが実行されれば、その後の薬注処理ｂ´により新規の薬剤が供給され、循環水Ｗ２中の薬剤が入れ替わる。そのため、ブローダウン処理Ｂの終了後に、薬注処理ｂ´で必要となる投入量Ｑ４を超えて薬剤を投入しても無駄となる。従って、薬剤の投入量分ＱＸについては、薬注処理を実行させない。
【００９９】
次に、本実施形態の冷却システム１において実行されるブローダウン処理及び薬注処理の動作を、図６〜図９に示すフローチャートを参照して説明する。
【０１００】
まず、ブローダウン処理について説明する。図６は、システム制御ユニット１００においてブローダウン処理を実行する場合の処理手順を示すフローチャートである。図６に示すフローチャートの処理は、メモリ２１０に記憶された制御プログラムに基づいて、ブローダウン処理制御部２００により実行される。また、図６に示すフローチャートの処理は、冷却システム１の運転中において、繰り返し実行される。
【０１０１】
図６に示すステップＳＴ１０１において、ブローダウン処理制御部２００は、第１ＥＣセンサ１３３で測定された循環水Ｗ２の第１電気伝導率ＥＣ１、及びブローダウン処理の開始点である上限閾値ＥＣｂ１をメモリ２１０から取得する。
【０１０２】
ステップＳＴ１０２において、ブローダウン処理制御部２００は、第１電気伝導率ＥＣ１が上限閾値ＥＣｂ１以上か否かを判定する。このステップＳＴ１０２において、ブローダウン処理制御部２００により、第１電気伝導率ＥＣ１≧上限閾値ＥＣｂ１である（ＹＥＳ）と判定された場合には、循環水Ｗ２の濃縮度が所定の濃縮度に達したため、処理はステップＳＴ１０３へ移行する。また、ステップＳＴ１０２において、ブローダウン処理制御部２００により、第１電気伝導率ＥＣ１＜上限閾値ＥＣｂ１である（ＮＯ）と判定された場合には、循環水Ｗ２の濃縮度が所定の濃縮度に達していないため、処理はステップＳＴ１０１へ戻る。
【０１０３】
ステップＳＴ１０３（ステップＳＴ１０２：ＹＥＳ）において、ブローダウン処理制御部２００は、補給水バルブ１３６を開状態として、ブローダウン処理を開始する。
【０１０４】
ステップＳＴ１０３においてブローダウン処理が実行されることにより、補給水Ｗ１が貯留部１２２に強制的に補給される一方、貯留部１２２内の循環水Ｗ２の一部が排水ラインＬ１３０から外部に排出される。そのため、循環水Ｗ２の第１電気伝導率ＥＣ１は、徐々に低下する。
【０１０５】
ステップＳＴ１０４において、ブローダウン処理制御部２００は、第１ＥＣセンサ１３３で測定された循環水Ｗ２の第１電気伝導率ＥＣ１、及びブローダウン処理の終了点である下限閾値ＥＣｂ２をメモリ２１０から取得する。
【０１０６】
ステップＳＴ１０５において、ブローダウン処理制御部２００は、第１電気伝導率ＥＣ１が下限閾値ＥＣｂ２以下か否かを判定する。このステップＳＴ１０５において、ブローダウン処理制御部２００により、第１電気伝導率ＥＣ１≦下限閾値ＥＣｂ２である（ＹＥＳ）と判定された場合には、循環水Ｗ２の濃縮度が十分に低下したと考えられるため、処理はステップＳＴ１０６へ移行する。また、ステップＳＴ１０５において、ブローダウン処理制御部２００により、第１電気伝導率ＥＣ１＞下限閾値ＥＣｂ２である（ＮＯ）と判定された場合には、循環水Ｗ２の濃縮度が未だ低下していないと考えられるため、処理はステップＳＴ１０４へ戻る。
【０１０７】
ステップＳＴ１０６（ステップＳＴ１０５：ＹＥＳ）において、ブローダウン処理制御部２００は、補給水バルブ１３６を閉状態として、ブローダウン処理を終了する。これにより、本フローチャートの処理は終了する（ステップＳＴ１０１へリターンする）。
【０１０８】
次に、薬注処理（流量比例薬注）について説明する。図７は、薬剤供給装置３００において薬注処理を実行する場合の処理手順を示すフローチャートである。図７に示すフローチャートの処理は、メモリ３２０に記憶された制御プログラムに基づいて、薬注制御部３１１により実行される。また、図７に示すフローチャートの処理は、冷却システム１の運転中において、繰り返し実行される。
【０１０９】
図７に示すステップＳＴ２０１において、薬注制御部３１１は、流量センサ１３５から所定数のパルス信号を受信したか否か（カウントしたパルス信号が所定数になったか否か）を判定する。このステップＳＴ２０１において、薬注制御部３１１により、所定数のパルス信号を受信した（ＹＥＳ）と判定された場合に、処理はステップＳＴ２０２へ移行する。また、ステップＳＴ２０１において、薬注制御部３１１により、所定数のパルス信号を受信していない（ＮＯ）と判定された場合に、処理はステップＳＴ２０１へ戻る。
【０１１０】
なお、薬注制御部３１１は、流量センサ１３５から出力されるパルス信号が所定数に達していない間にブローダウン処理が実行された場合には、それまでのカウント数をメモリ２１０に記憶する。そして、ブローダウン処理後の薬注処理において、そのパルス信号数（補給水量）に比例した薬剤の投入量分を、ステップＳＴ２０７（後述）で算出した投入量分に加算する（図７に示すフローチャートでは記載を省略）。
【０１１１】
ステップＳＴ２０２（ステップＳＴ２０１：ＹＥＳ）において、薬注制御部３１１は、ブローダウン処理が開始（実行）されたか否かを判定する。薬注制御部３１１は、ブローダウン処理制御部２００から出力される外部停止信号の有無により、ブローダウン処理が開始されたか否かを判定することができる。
【０１１２】
このステップＳＴ２０２において、薬注制御部３１１により、ブローダウン処理が開始された（ＹＥＳ）と判定された場合に、処理はステップＳＴ２０４へ移行する。この場合に、薬注処理の実行は待機状態となる。また、ステップＳＴ２０２において、薬注制御部３１１により、ブローダウン処理が開始されていない（ＮＯ）と判定された場合に、処理はステップＳＴ２０３へ移行する。
【０１１３】
ステップＳＴ２０３（ステップＳＴ２０２：ＮＯ）において、薬注制御部３１１は、ステップＳＴ２０１で取得したパルス信号に基づいて薬剤の投入量を算出し、その投入量に対応したパルス幅を有するポンプ駆動信号を薬剤供給ポンプ３５０に出力する。これにより、薬剤供給ポンプ３５０において、薬注処理が実行される。このステップＳＴ２０３における薬注処理が終了すると、本フローチャートの処理は終了する（ステップＳＴ２０１へリターンする）。
【０１１４】
なお、ステップＳＴ２０３において薬注処理を実行している間に、ブローダウン処理が開始された場合には、後述するステップＳＴ２０４の処理へ移行する。その場合に、ステップＳＴ２０３において実行された薬注処理はキャンセルされる。
【０１１５】
一方、ステップＳＴ２０４（ステップＳＴ２０２：ＹＥＳ）において、薬注制御部３１１は、流量センサ１３５から出力されたパルス信号数Ｐをカウントする（Ｐのカウントをスタート）。
【０１１６】
ステップＳＴ２０５において、薬注制御部３１１は、ブローダウン処理が終了したか否かを判定する。このステップＳＴ２０５において、薬注制御部３１１により、ブローダウン処理が終了した（ＹＥＳ）と判定された場合に、処理はステップＳＴ２０６へ移行する。また、ステップＳＴ２０５において、薬注制御部３１１により、ブローダウン処理が終了していない（ＮＯ）と判定された場合に、処理はステップＳＴ２０５へ戻る。
【０１１７】
ステップＳＴ２０６（ステップＳＴ２０５：ＹＥＳ）において、薬注制御部３１１は、カウントしたパルス信号数Ｐをメモリ３２０に記憶すると共に、パルス信号数Ｐのカウント値をリセットする。
【０１１８】
ステップＳＴ２０７において、薬注制御部３１１は、カウントしたパルス信号数Ｐをメモリ３２０から読み出し、パルス信号数Ｐに比例した薬剤の投入量分を算出し、その投入量分に対応したパルス幅を有するポンプ駆動信号を薬剤供給ポンプ３５０に出力する。これにより、薬剤供給ポンプ３５０において、薬注処理が実行される。
【０１１９】
ステップＳＴ２０８において、薬注制御部３１１は、薬注処理が終了したか否かを判定する。このステップＳＴ２０８において、薬注制御部３１１により、薬注処理が終了した（ＹＥＳ）と判定された場合に、本フローチャートの処理は終了する（ステップＳＴ２０１へリターンする）。また、ステップＳＴ２０８において、薬注処理が終了していない（ＮＯ）と判定された場合に、処理はステップＳＴ２０９へ移行する。
【０１２０】
ステップＳＴ２０９（ステップＳＴ２０８：ＮＯ）において、薬注制御部３１１は、ブローダウン処理が開始（実行）されたか否かを判定する。薬注制御部３１１は、ブローダウン処理制御部２００から出力される外部停止信号の有無により、ブローダウン処理が開始されたか否かを判定することができる。
【０１２１】
このステップＳＴ２０９において、薬注制御部３１１により、ブローダウン処理が開始された（ＹＥＳ）と判定された場合に、処理はステップＳＴ２１０へ移行する。また、ステップＳＴ２０９において、薬注制御部３１１により、ブローダウン処理が開始されていない（ＮＯ）と判定された場合に、処理はステップＳＴ２０８へ戻る。
【０１２２】
ステップＳＴ２１０（ステップＳＴ２０９：ＹＥＳ）において、薬注制御部３１１は、薬剤供給ポンプ３５０へのポンプ駆動信号の出力を停止して、薬注処理を中断させる。また、薬注制御部３１１は、中断させた薬注処理において循環水Ｗ２に供給されなかった薬剤の投入量分をメモリ３２０に記憶させる。
【０１２３】
ステップＳＴ２１１において、薬注制御部３１１は、流量センサ１３５から出力されたパルス信号数Ｐをカウントする（Ｐのカウントをスタート）。
【０１２４】
ステップＳＴ２１２において、薬注制御部３１１は、ブローダウン処理が終了したか否かを判定する。このステップＳＴ２１２において、薬注制御部３１１により、ブローダウン処理が終了した（ＹＥＳ）と判定された場合に、処理はステップＳＴ２１３へ移行する。また、ステップＳＴ２１２において、薬注制御部３１１により、ブローダウン処理が終了していない（ＮＯ）と判定された場合に、処理はステップＳＴ２１２へ戻る。
【０１２５】
ステップＳＴ２１３（ステップＳＴ２１２：ＹＥＳ）において、薬注制御部３１１は、カウントしたパルス信号数Ｐをメモリ３２０に記憶すると共に、パルス信号数Ｐのカウント値をリセットする。
【０１２６】
ステップＳＴ２１４において、薬注制御部３１１は、中断させた薬注処理において循環水Ｗ２に供給されなかった薬剤の投入量分をメモリ３２０から読み出す。また、薬注制御部３１１は、カウントしたパルス信号数Ｐをメモリ３２０から読み出し、パルス信号数Ｐに比例した薬剤の投入量分を算出する。そして、薬注制御部３１１は、中断させた薬注処理において循環水Ｗ２に供給されなかった薬剤の投入量分と、ブローダウン処理の実行期間中に検出されたパルス信号数Ｐに比例した薬剤の投入量分とを合計した量の薬剤Ｗ３が循環水Ｗ２に供給されるように、薬剤の合計量に対応したパルス幅を有するポンプ駆動信号を薬剤供給ポンプ３５０に出力する。これにより、薬剤供給ポンプ３５０において薬注処理が実行（再開）される。このステップＳＴ２１４における薬注処理が終了すると、本フローチャートの処理は終了する（ステップＳＴ２０１へリターンする）。
【０１２７】
次に、補助薬注処理について説明する。図８及び図９は、薬剤供給装置３００において補助薬注処理を実行する場合の処理手順を示すフローチャートである。図８及び図９に示すフローチャートの処理は、メモリ３２０に記憶された制御プログラムに基づいて、薬注制御部３１１及び計時部３１２により実行される。また、図８及び図９に示すフローチャートの処理は、冷却システム１の運転中において、繰り返し実行される。
【０１２８】
図８に示すステップＳＴ３０１において、薬注制御部３１１は、循環水ポンプ１３２へのポンプ運転信号の出力があるか否か（冷却塔１２０の運転中か否か）を判定する。このステップＳＴ３０１において、薬注制御部３１１により、循環水ポンプ１３２へのポンプ運転信号の出力がある（ＹＥＳ）と判定された場合に、処理はステップＳＴ３０２へ移行する。また、ステップＳＴ３０１において、薬注制御部３１１により、循環水ポンプ１３２へのポンプ運転信号の出力がない（ＮＯ）と判定された場合に、処理はステップＳＴ３０１へ戻る。
【０１２９】
ステップＳＴ３０２において、薬注制御部３１１は、流量センサ１３５からのパルス信号の出力がないか否かを判定する。このステップＳＴ３０２において、薬注制御部３１１により、流量センサ１３５からのパルス信号の出力がない（ＹＥＳ）と判定された場合に、処理はステップＳＴ３０３へ移行する。また、ステップＳＴ３０２において、薬注制御部３１１により、流量センサ１３５からのパルス信号の出力がある（ＮＯ）と判定された場合に、処理はステップＳＴ３０２へ戻る。
【０１３０】
ステップＳＴ３０３（ステップＳＴ３０２：ＹＥＳ）において、計時部３１２は、滞留時間ＴＴの計時をスタートする。滞留時間ＴＴは、流量センサ１３５からパルス信号が出力されていない期間である。
【０１３１】
ステップＳＴ３０３において、薬注制御部３１１は、計時部３１２で計時されている滞留時間ＴＴが許容滞留時間ＴＷを超過したか否かを判定する。なお、薬注制御部３１１は、許容滞留時間ＴＷをメモリ３２０から取得する。このステップＳＴ３０４において、薬注制御部３１１により、滞留時間ＴＴ＞許容滞留時間ＴＷである（ＹＥＳ）と判定された場合に、処理はステップＳＴ３０７へ移行する。また、ステップＳＴ３０４において、薬注制御部３１１により、滞留時間ＴＴ≦許容滞留時間ＴＷである（ＮＯ）と判定された場合に、処理はステップＳＴ３０５へ移行する。
【０１３２】
ステップＳＴ３０５（ステップＳＴ３０４：ＮＯ）において、薬注制御部３１１は、流量センサ１３５からのパルス信号の出力があるか否かを判定する。このステップＳＴ３０５において、薬注制御部３１１により、流量センサ１３５からのパルス信号の出力がある（ＹＥＳ）と判定された場合に、処理はステップＳＴ３０６へ移行する。また、ステップＳＴ３０５において、薬注制御部３１１により、流量センサ１３５からのパルス信号の出力がない（ＮＯ）と判定された場合に、処理はステップＳＴ３０４へ戻る。
【０１３３】
ステップＳＴ３０６（ステップＳＴ３０５：ＹＥＳ）において、薬注制御部３１１は、計時部３１２による滞留時間ＴＴの計時をリセットさせる。これにより、本フローチャートの処理は終了する（ステップＳＴ３０１へリターンする）。滞留時間ＴＴが許容滞留時間ＴＷに達する前に流量センサ１３５からのパルス信号の出力があった場合（すなわち、補給水Ｗ１の供給があった場合）には、補助薬注処理を実行しないためである。
【０１３４】
一方、ステップＳＴ３０７（ステップＳＴ３０４：ＹＥＳ）において、薬注制御部３１１は、予め設定された投入量の薬剤Ｗ３が循環水Ｗ２に供給されるように、薬剤供給ポンプ３５０にポンプ駆動信号を出力して、補助薬注処理を実行させる。
【０１３５】
次に、図９に示すステップＳＴ３０８において、薬注制御部３１１は、ブローダウン処理が開始（実行）されたか否かを判定する。このステップＳＴ３０８において、薬注制御部３１１により、ブローダウン処理が開始された（ＹＥＳ）と判定された場合に、処理はステップＳＴ３０９へ移行する。また、ステップＳＴ３０８において、薬注制御部３１１により、ブローダウン処理が開始されていない（ＮＯ）と判定された場合に、処理はステップＳＴ３１４へ移行する。
【０１３６】
ステップＳＴ３０９（ステップＳＴ３０８：ＹＥＳ）において、薬注制御部３１１は、薬剤供給ポンプ３５０へのポンプ駆動信号の出力を停止して、補助薬注処理を強制終了させる。これにより、本フローチャートの処理は終了する（ステップＳＴ３０６へ移行する）。
【０１３７】
一方、ステップＳＴ３１０（ステップＳＴ３０８：ＮＯ）において、薬注制御部３１１は、補助薬注処理が終了したか否かを判定する。このステップＳＴ３１０において、薬注制御部３１１により、補助薬注処理が終了した（ＹＥＳ）と判定された場合に、本フローチャートの処理は終了する（ステップＳＴ３０６へ移行する）。このように、補助薬注処理の実行期間中にブローダウン処理が実行されなければ、補助薬注処理を途中で終了することなく、本フローチャートの処理は終了する。
【０１３８】
また、ステップＳＴ３１０において、薬注制御部３１１により、補助薬注処理が終了していない（ＮＯ）と判定された場合に、処理はステップＳＴ３０８へ戻る。
【０１３９】
上述した本実施形態の薬剤供給装置３００によれば、例えば、以下のような効果を奏する。
【０１４０】
薬剤供給装置３００は、ブローダウン処理の実行中は薬注処理の実行を待機（停止）させ、その薬注処理の実行中に次のブローダウン処理が実行されたときには、薬注処理の実行を中断（停止）させる。そのため、ブローダウン処理と薬注処理とが同時期に実行されることが回避され、次のブローダウン処理の実行中に供給された薬剤が、直ちに循環水Ｗ２の一部と共に系外に排出されることがない。従って、薬剤供給装置３００によれば、停止させた薬注処理の実行中に開始される次のブローダウン処理により、薬剤が無駄に消費されるのを抑制することができる。
【０１４１】
また、薬剤供給装置３００は、ブローダウン処理により薬注処理を中断させた場合には、そのブローダウン処理の終了後に薬注処理を再開させて、中断させた薬注処理により供給されなかった薬剤の投入量分と、ブローダウン処理の実行期間中における補給水量に比例した薬剤の投入量とを合計した量の薬剤を循環水Ｗ２に供給させる。従って、薬剤供給装置３００によれば、停止させた薬注処理の実行中に次のブローダウン処理が実行された場合でも、そのブローダウン処理の終了後に、必要量の薬剤Ｗ３を速やかに循環水Ｗ２に供給することができる。
【０１４２】
また、薬剤供給装置３００は、冷却塔１２０の運転中であり、且つ補給水Ｗ１が冷却塔１２０へ供給されない滞留時間ＴＴが許容滞留時間ＴＷを超過した場合には、薬剤供給ポンプ３５０において補助薬注処理を実行させる。そのため、薬剤供給装置３００は、被冷却装置１３１の負荷が低い場合等において、循環水系内での薬効を効果的に維持することができる。
【０１４３】
また、薬剤供給装置３００は、補助薬注処理において、薬剤供給装置３００から循環水Ｗ２に殺菌剤が供給される。一般に、冷却塔１２０の運転中に補給水Ｗ１が冷却塔１２０へ供給されない時間が長く続いた場合、スケール防止剤や防食剤の消耗は少ないが、菌類の増殖により殺菌剤の消耗は多くなる。しかし、薬剤供給装置３００においては、冷却塔１２０の運転中に補給水Ｗ１が冷却塔１２０へ供給されない時間が長く続いた場合には、補助薬注処理において循環水Ｗ２に殺菌剤が供給されるため、循環水系のスライム障害を効果的に抑制することができる。
【０１４４】
また、薬剤供給装置３００は、循環水Ｗ２の濃縮倍率の変化に追従して、薬剤の必要量を調整する。そのため、薬剤供給装置は、冷却塔１２０の運転中に補給水Ｗ１及び循環水Ｗ２の電気伝導率が変動しても、循環水Ｗ２中の薬剤濃度を適切な薬剤維持濃度に保ちながら、薬剤の無駄な消費を抑制することができる。
【０１４５】
以上、本発明の好適な実施形態について説明したが、本発明は上述した実施形態に限定されることなく、以下のように種々の形態で実施することができる。
【０１４６】
本実施形態では、循環水系を有する産業用設備として、循環水ラインＬ１１０を有する冷却塔１２０を例に説明した。この例に限らず、循環水系を有する産業用設備は、例えば、ボイラ装置や逆浸透膜装置であってもよい。
【０１４７】
ボイラ装置の場合、例えば、多管式の貫流ボイラでは、ボイラ本体で発生した気水混合物を上部ヘッダに連結された気水分離器で蒸気と飽和水とに分離し、飽和水を降水管（循環水系）により下部ヘッダに戻すように構成されている。従って、この種のボイラ装置において、循環水系を流通する水の一部を排出すると共に、外部から供給される補給水をボイラ本体に導入する処理を、ブローダウン処理と看做すことができる。
【０１４８】
また、逆浸透膜装置の場合、一次側の膜表面での流速を確保するため、一般に、膜モジュールの外に排出される濃縮水の一部を、濃縮水返送ライン（循環水系）を介して加圧ポンプの原水吸込側に戻す、クロスフロー方式が採用されている。従って、クロスフロー方式の逆浸透膜装置において、循環水系を流通する濃縮水の一部を排出すると共に、外部から供給される原水を逆浸透膜装置に導入する処理を、ブローダウン処理と看做すことができる。
【０１４９】
本実施形態では、薬剤を貯留部１２２に供給する例について説明した。しかし、薬剤を循環水系（塔本体１２１及び循環水ラインＬ１１０）に供給することができれば、薬剤を供給する位置はこの例に限定されない。例えば、薬剤を塔本体１２１の散水部（不図示）に供給してもよいし、循環水供給ラインＬ１１１又は循環水回収ラインＬ１１２に供給してもよい。また、薬剤を補給水Ｗ１に供給してもよいし、補給水Ｗ１及び循環水Ｗ２の両方に供給してもよい。
【０１５０】
本実施形態では、第１ＥＣセンサ１３３を貯留部１２２に配置する例について説明した。これに限らず、第１ＥＣセンサ１３３を循環水回収ラインＬ１１２に配置してもよい。また、本実施形態では、第１ＥＣセンサ１３３で検出された第１電気伝導率ＥＣ１が上限閾値ＥＣｂ１以上となった場合にブローダウン処理を実行する例について説明した。このほか、冷却塔１２０の蒸発損失量を検出し、検出した蒸発損失量に基づいて循環水Ｗ２の濃縮度を推定することにより、ブローダウン処理の実行の可否を判定するようにしてもよい。
【０１５１】
本実施形態では、ブローダウン処理として、補給水Ｗ１を強制的に冷却塔１２０へ供給することにより、循環水Ｗ２の一部を冷却塔１２０から系外に排出する例（強制補給）について説明した。このほかのブローダウン処理として、例えば、排水ラインＬ１３０に排水バルブを設け、この排水バルブを開いて循環水Ｗ２を冷却塔１２０から強制的に系外に排出することにより、補給水Ｗ１を冷却塔１２０へ供給させてもよい（強制排水）。この場合、排水ラインＬ１３０の上流側の端部は、貯留部１２２（図１参照）の底部に接続される。
【０１５２】
また、ブローダウン処理として、循環水Ｗ２の一部を循環水ラインＬ１１０から系外に排出してもよい。また、ブローダウン処理として、循環水Ｗ２の一部を冷却塔１２０及び循環水ラインＬ１１０の両方から系外に排出してもよい。
【０１５３】
本実施形態では、薬剤供給装置３００の薬剤供給ポンプ３５０として、電磁駆動ダイアフラム式の定量ポンプを用いる例について説明した。この例に限らず、薬剤供給ポンプ３５０として、プランジャーポンプ、ベローズポンプ等の定量吐出ポンプを用いてもよい。
【０１５４】
本実施形態では、冷却塔１２０を開放式冷却塔として構成した例について示した。この例に限らず、冷却塔１２０を密閉式冷却塔として構成してもよい。
【０１５５】
本発明は、その精神又は主要な特徴から逸脱することなく、他のいろいろな形で実施することができる。そのため、上記の実施形態若しくは実施例は、あらゆる点で単なる例示に過ぎず、限定的に解釈してはならない。本発明の範囲は、請求の範囲によって示すものであって、明細書本文には何ら拘束されない。更に、請求の範囲の均等範囲に属する変形や変更は、全て本発明の範囲内のものである。
【符号の説明】
【０１５６】
１  冷却システム
１００  システム制御ユニット
１２０  冷却塔
１２２  貯留部
１３３  第１ＥＣセンサ（第１電気伝導率センサ）
１３５  流量センサ（流量検出手段）
１３６  補給水バルブ
１３７  給水栓
１３８  オーバーフロー口
１３９  第２ＥＣセンサ（第２電気伝導率センサ）
２０１  ブローダウン処理制御部
２１０  メモリ
３００  薬剤供給装置
３１０  薬注制御ユニット
３１１  薬注制御部（薬剤供給制御部）
３１２  計時部
３２０  メモリ（記憶部）
３３０  薬剤タンク（薬剤供給手段）
３５０  薬剤供給ポンプ（薬剤供給手段）
Ｌ１１０  循環水ライン
Ｌ１２０  補給水ライン
Ｌ１３０  排水ライン
Ｌ１４０  薬剤供給ライン
Ｗ１  補給水
Ｗ２  循環水
Ｗ３  薬剤
【図１】
0005720864.tif 000002
【図２】
0005720864.tif 000003
【図３】
0005720864.tif 000004
【図４】
0005720864.tif 000005
【図５】
0005720864.tif 000006
【図６】
0005720864.tif 000007
【図７】
0005720864.tif 000008
【図８】
0005720864.tif 000009
【図９】
0005720864.tif 000010